(57)【要約】      （修正有）【課題】冷媒が冷媒冷却回路の高圧側で超臨界圧力の状態となるものである場合、上記の冷媒量調整手段を使用せずに安定した冷凍サイクルを実行できる冷却装置、および、この冷却装置を用いた自動販売機を提供する。【解決手段】複数の庫内収納庫が冷却運転をする場合には、前記臨界圧力検出手段の検出結果に応じて、休止中の蒸発手段に冷媒を流入させて運転することにより、低圧側の配管容積を拡大させ、高圧側の冷媒容積が減少し、圧力上昇を抑制できる結果、圧縮機の停止、損傷を回避でき、また、運転中の蒸発器における蒸発温度の低下を押えることができるので、冷却能力を高状態で維持できる。【選択図】図５
2006163785.tif 000002
【特許請求の範囲】
【請求項１】
複数の商品収納庫のそれぞれに設置して冷媒を蒸発させて該商品収納庫を冷却する蒸発手段と、前記蒸発手段から供給させる冷媒を圧縮する圧縮機と、前記圧縮機から供給される冷媒を放熱させる放熱手段と、前記放熱手段から供給される冷媒の流量を調節する絞り手段と、前記商品収納庫の庫内温度を検出する庫内温度検出手段と、前記放熱手段に流れる冷媒の臨界圧力を検出する臨界圧力検出手段とを有し、前記庫内温度検出手段の検出結果に応じて蒸発手段の運転、休止を制御する制御手段を有する自動販売機の冷却装置において、
前記制御手段は、複数の庫内収納庫が冷却運転をする場合には、前記臨界圧力検出手段の検出結果に応じて、休止中の蒸発手段に冷媒を流入させて運転する制御手段を備えたことを特徴とする自動販売機の冷却装置。
【請求項２】
前記絞り手段が絞りの開度を制御する電子膨張弁であり、前記圧縮機が回転数を制御するインバータ圧縮機であって、前記臨界圧力検出手段の検出結果に応じて、電子膨張弁の開度および／またはインバータ圧縮機の回転を制御する制御手段を備えたことを特徴とする請求項１に記載の自動販売機の冷却装置。
【請求項３】
冷媒に二酸化炭素を用いることを特徴とする請求項１または２のいずれかに記載の自動販売機の冷却装置。
【発明の詳細な説明】
【技術分野】
【０００１】
本発明は、缶、ビン、パック、ペットボトルなどの容器に入れた飲料などの商品を冷却、加熱して販売に供する自動販売機の冷却装置に関するものである。
【背景技術】
【０００２】
断熱筐体の庫内（ 例えば自動販売機の庫内） を冷却するための冷媒冷却回路は、圧縮機、放熱器、絞り部、蒸発器を結合して冷媒循環経路を形成し、一連の冷凍サイクルを実行して冷媒を循環させるものである。冷媒冷却回路を循環する冷媒としては、今日、一般的にＨ Ｆ Ｃ 冷媒（ ハイドロフルオロカーボン） が使用されている。しかしながら、地球環境を保護する観点から、更に地球環境に対する影響の少ない冷媒の開発が要求されている。そこで、最近では、不燃性、安全性、不腐食性、更にオゾン層への影響が少ない等の点で、人体に悪影響を与えない二酸化炭素を冷媒として使用する冷媒冷却回路の開発が進められている。
ところで、冷媒冷却回路の冷媒として二酸化炭素を使用すると、二酸化炭素の臨界温度が約３１℃ と低いことから、放熱器では、通常の外気温度で二酸化炭素の冷媒を放熱させても液化しない超臨界圧力の状態を生じる場合がある。この場合、冷媒冷却回路の高圧側（圧縮機の出力部分から絞り部の入力部分までの冷媒循環経路） の圧力が高くなり、冷媒冷却回路の低圧側（ 絞り部の出力部分から圧縮機の入力部分までの冷媒循環経路） での冷媒量が減少する。つまり、圧縮機は、低効率の過負荷運転を行うことになり、更に、過負荷運転が限界に達した時点で停止してしまうことになる。
【０００３】
そこで、上記の課題を解決する方法としてアキュムレータ、レシーバ等の冷媒量調整手段を冷媒循環経路に設けたものが知られている（例えば、特許文献１）。
また、電子膨張弁を冷媒循環経路に設け、高圧側が臨界圧力以上の場合には、弁回路を開いて低圧側の圧力を高めるとともに、低圧側配管内の冷媒量を増加させて高圧側配管内の冷媒容積を減少させる方法もある（例えば、特許文献２）。
【特許文献１】特表平７−５０２３３５号公報
【特許文献２】特開２００４−５４４２４号公報
【発明の開示】
【発明が解決しようとする課題】
【０００４】
しかし、特許文献１に記載の従来装置では、冷媒量調整手段を配設するための専用空間が必要となるので、小型の断熱筐体では対応できない課題が生じる。また、冷媒量調整手段を付加するので、製品コストが上昇するという課題も生じる。また、特許文献２に記載の従来装置においては、低圧側の圧力を高めると冷媒の温度が上昇するため、庫内空気と冷媒の温度差が小さくなり、冷却能力が低下する問題が発生する。
そこで、本発明は、冷媒が冷媒冷却回路の高圧側で超臨界圧力の状態となる場合、上記の冷媒量調整手段を使用せずに安定した冷凍サイクルを実行できる自動販売機の冷却装置を提供することを目的とする。
【課題を解決するための手段】
【０００５】
上記の目的を達成するために、本発明の請求項１に係る自動販売機の冷却装置は、
複数の商品収納庫のそれぞれに設置して冷媒を蒸発させて該商品収納庫を冷却する蒸発手段と、前記蒸発手段から供給させる冷媒を圧縮する圧縮機と、前記圧縮機から供給される冷媒を放熱させる放熱手段と、前記放熱手段から供給される冷媒の流量を調節する絞り手段と、前記商品収納庫の庫内温度を検出する庫内温度検出手段と、前記放熱手段に流れる冷媒の臨界圧力を検出する臨界圧力検出手段とを有し、前記庫内温度検出手段の検出結果に応じて蒸発手段の運転、休止を制御する制御手段を有する自動販売機の冷却装置において、
複数の庫内収納庫が冷却運転をする場合には、前記臨界圧力検出手段の検出結果に応じて、休止中の蒸発器に冷媒を流入させて運転する制御手段を備えたことを特徴とする。
【０００６】
また、本発明の請求項２に係る自動販売機の冷却装置は、上記請求項１において、
前記絞り手段が絞りの開度を制御する電子膨張弁であり、前記圧縮機が回転数を制御するインバータ圧縮機であって、前記臨界圧力検出手段の検出結果に応じて、電子膨張弁の開度および／またはインバータ圧縮機の回転を制御する制御手段を備えたことを特徴とする。
また、本発明の請求項３に係る自動販売機の冷却装置は、上記請求項１、２のいずれかにおいて、冷媒に二酸化炭素を用いることを特徴とする。
【発明の効果】
【０００７】
本発明の請求項１に係る冷却装置によれば、高圧側の放熱器の圧力が臨界圧力を超える場合に、休止中の蒸発器に冷媒を流すことにより低圧側の配管容積を拡大させるので、高圧側の冷媒容積が減少し、圧力上昇を抑制できる結果、圧縮機の停止、損傷を回避でき、また、運転中の蒸発器における蒸発温度の低下を押えることができるので、冷却能力を高状態で維持できる。
また、本発明の請求項２に係る冷却装置によれば、高圧側の放熱器の圧力が臨界圧力を超える場合に、電子膨張弁の開度を開くことにより低圧側の冷媒容積を拡大させるので、また、インバータ圧縮機の回転数を低減させることにより高圧側の冷媒容積が減少するので、放熱器内の圧力が上昇することを抑制することができる結果、放熱器内の冷媒が臨界点を越えることがなくなり、圧縮機の停止、損傷を回避でき、安定した冷却能力を維持できる。
【０００８】
また、本発明の請求項３に係る冷却装置によれば、冷媒に二酸化炭素を使用することにより、オゾン層に影響を与えず、不燃性、安全性に優れた自動販売機の冷却装置を提供できる。
【発明を実施するための最良の形態】
【０００９】
以下に添付図面を参照して、本発明に係る好適な実施の形態を詳細に説明する。なお、この実施の形態によりこの発明が限定されるものではない。
（実施の形態１）図１〜図５は、請求項１〜３に係る本発明の冷却装置の形態を示した実施例の説明図である。図１が冷却装置を搭載する自動販売機の正面図、図２がその自動販売機の横断面図、図３が冷却装置の冷媒回路、図４が自動販売機の制御ブロック図、図５が制御装置の要部フローチャートを示す。
これら図１および図２において、自動販売機は、本体キャビネット１を備えている。本体キャビネット１は、前面が開口した直方状の断熱体として形成したものである。この本体キャビネット１には、その前面に外扉２と内扉３ａ，３ｂとが設けてあり、その内部に例えば２つの断熱仕切板４ａ，４ｂによって仕切られた３つの独立した商品収容庫５ａ，５ｂ，５ｃが左右に並んだ態様で設けてある。より詳細に説明すると、外扉２は、本体キャビネット１の前面開口を開閉するためのものであり、内扉３ａ，３ｂは、商品収容庫５ａ，５ｂ，５ｃの前面を開閉するためのものである。この内扉３ａ，３ｂは、上下に分割してあり、上側の扉３ａは、商品を補充する際に開閉するものである。商品収容庫５ａ，５ｂ，５ｃは、缶入り飲料やペットボトル入り飲料等の商品Ｗを所望の温度に維持した状態で収容するためのものであり、その収納庫の容量は５ａ，５ｃ、５ｂの順に小さい。
【００１０】
商品収容庫５ａ，５ｂ，５ｃには、それぞれ、商品収納ラック６、搬出機構７および商品搬出シュータ８が設けてある。商品収納ラック６は、商品Ｗを上下方向に沿って並ぶ態様で収納するためのものである。搬出機構７は、商品収納ラック６の下部に設けてあり、この商品収納ラック６に収納された商品群のうち最下部にある商品Ｗを一つずつ搬出するためのものである。商品搬出シュータ８は、その表面に搬出機構７から搬出された商品Ｗを商品取出口３ｃに導くためのものであり、また、その表面に多数の孔が穿設され、冷却加熱風を通過させるようにしてある。
上記本体キャビネット１の内部において商品収容庫５ａ，５ｂ，５ｃの外部となる機械室９には、商品収容庫５ａ，５ｂ，５ｃの底部に設置された蒸発ユニット５０ａ，５０ｂ，５０ｃとともに構成する冷却装置１０が配設してある。
【００１１】
図３は、図１および図２に示した冷却装置（本発明の実施の形態に係る冷却装置）を概念的に示した冷媒回路図である。同図において、冷却装置１０は、圧縮機２０と、放熱ユニット３０と、電子膨張弁４０ａ，４０ｂ，４０ｃ（以下、単に電子膨張弁４０とも称する）と、蒸発ユニット５０ａ，５０ｂ，５０ｃ（以下、単に蒸発ユニット５０とも称する）と、内部熱交換器６０を備えて構成してある。この冷却装置１０において、冷媒としては、不燃性、安全性、不腐食性を有し、更にオゾン層への影響が少ない二酸化炭素を用いている。
圧縮機２０は、蒸発ユニット５０からの冷媒（二酸化炭素）を圧縮して高温高圧の状態にするものである。この圧縮機２０は、２回に分けて圧縮動作を行う二段式インバータ圧縮機である。より詳細に説明すると、圧縮機２０は、１回目（最初）の圧縮動作を行う第１圧縮機２１と、２回目（最後）の圧縮動作を行う第２圧縮機２２とを有し、これらの間に中間熱交換器２３を設けてある。この中間熱交換器２３は、第１圧縮機２１による１回目の圧縮動作により圧縮された冷媒を冷却、すなわち放熱させて該冷媒を第２圧縮機２２に戻すものである。
【００１２】
このように、圧縮機２０は、中間熱交換器２３を介して２回の圧縮動作を実行することで、低消費電力で冷媒を所望の高温高圧の状態に圧縮することが可能になる。なお、本実施の形態では、冷媒の臨界圧力以下の運転条件においては、第１圧縮機２１での１回目の圧縮によって冷媒を約４．９ＭＰａに圧縮し、第２圧縮機２２での２回目の圧縮によって冷媒を約９．８ＭＰａに圧縮する。冷媒の臨界圧力の上限を超える運転条件においては、圧縮機の回転数を低減させて適宜安定する冷却運転を可能とする。
また、圧縮機２０には、オイルセパレータ２４が接続してある。オイルセパレータ２４は、圧縮機２０（第２圧縮機２２）から送出した冷凍機油を圧縮機２０（第１圧縮機２１）に戻すためのものである。冷凍機油は、圧縮機２０の内部における摩擦や冷媒漏れ等を防止するが、この冷凍機油を圧縮機２０の内部で完全に封止することが困難である。特に、上述のように圧縮機２０によって冷媒を高圧に圧縮しており、この圧力が従前の冷媒（例えばＨＦＣ（ハイドロフルオロカーボン））を使用したときと比較してはるかに高圧であるので、圧縮機２０からの冷凍機油の送出量は多くなる。そこで、本実施の形態では、第２圧縮機２２の出口側と、第１圧縮機２１の入口側との間にオイルセパレータ２４を接続しており、第２圧縮機２２から送出した冷凍機油を第１圧縮機２１に戻すようにしている。図３中の符号２５は、圧縮機２０に戻る冷凍機油と冷媒の圧力を低減するためのキャピラリーチューブである。
【００１３】
ここに、圧縮機２０としては、冷却装置１０を配設する対象、環境、あるいは装置全体に要するコスト等に見合う圧縮機として、レシプロ圧縮機、ロータリー圧縮機、スクロール圧縮機を使用しても良い。
放熱ユニット３０は、圧縮機２０で高温高圧の状態に圧縮された冷媒を、放熱させて冷媒を液化するものである。本実施の形態における放熱ユニット３０は、銅管とアルミフィンとで構成したフィンチューブタイプのものを使用している。また、放熱ユニット３０の入口部には、放熱ユニット３０の臨界圧力を監視するため臨界圧力検出手段としての放熱器温度センサ１１０が取設され、放熱ユニット３０の臨界圧力を冷媒の臨界温度として検出するものである。なお、臨界圧力検出手段は圧力センサであっても良い。
電子膨張弁４０は、放熱ユニット３０で放熱させた冷媒を断熱膨張させる、すなわち該冷媒を減圧して低温低圧の状態に調整するものである。電子膨張弁４０は、各蒸発ユニット５０にそれぞれ１個接続され、制御指令によりその開度を変更して冷媒循環量を制御する。
【００１４】
蒸発ユニット５０は、電子膨張弁４０で低温低圧の状態に断熱膨張させた冷媒を蒸発させるものである。この冷媒が蒸発することにより、蒸発ユニット５０の周辺領域は、熱が奪われることになり、冷却される。
上記蒸発ユニット５０は、図２に示したように、複数の商品収容庫５ａ，５ｂ，５ｃの内部に配設してそれぞれ各商品収容庫５ａ，５ｂ，５ｃを独立して冷却するためのものである。蒸発ユニット５０は、蒸発器５１と電磁弁５２と庫内ファン５３で構成され、それぞれの蒸発ユニット５０ａ，５０ｂ，５０ｃは、内部熱交換器６０から三方に分岐したそれぞれの経路に電子膨張弁４０ａ，４０ｂ，４０ｃを介して接続してある。さらに、それぞれの経路には、電磁弁５２ａ，５２ｂ，５２ｃが設けてあり、電磁弁５２ａ，５２ｂ，５２ｃを選択的に開成することで、対応する蒸発ユニット５０ａ，５０ｂ，５０ｃに電子膨張弁４０ａ，４０ｂ，４０ｃからの冷媒が送出されることになる。一方、各蒸発ユニット５０ａ，５０ｂ，５０ｃの出口側の経路は、互いに集合して圧縮機２０の第１圧縮機２１に接続してある。
【００１５】
庫内ファン５３は、蒸発器５１で冷却された空気（冷気）、あるいはヒータＨで加熱された空気（暖気）を送風することにより、蒸発器５１からの冷熱、あるいはヒータＨからの高熱を商品Ｗに熱伝達させるものである。庫内ファン５３により送風された空気は、循環ダクトＤを通じて循環することになる。庫内ファン５３は、制御指令により回転数を変え、風量を制御することができるものである。
庫内温センサ７２は、商品収容庫５内の温度を検出するためのものであり、庫内ファン５３をカバーするファンカバー７１の上部に取設されている。
上述した圧縮機２０、放熱ユニット３０、電子膨張弁４０および蒸発ユニット５０、並びにこれらを接続する経路等により、冷媒を循環させるための冷媒循環路Ｌが形成してある。そして、この冷媒循環路Ｌには、内部熱交換器６０が設けてある。内部熱交換器６０は、放熱ユニット３０からの高圧の冷媒と、蒸発ユニット４０からの低圧の冷媒とを熱交換させるものである。より詳細に説明すると、内部熱交換器６０の内部には、放熱ユニット３０で放熱させた冷媒が流れる冷媒管路６１と、蒸発ユニット５０で蒸発させた冷媒が流れる冷媒管路６２とが、互いに熱交換可能な距離を有して非接触向流する態様で配設してある。
【００１６】
図４は、自動販売機の制御装置における制御ブロックを示す図である。制御装置１００は、商品収納庫５ａ，５ｂ，５ｃを冷却または加熱に設定された運転モードにより、放熱器３１の温度、商品収納庫５の温度を検出して冷却装置１０、加熱ヒータＨの運転を制御し、商品収納庫５内の商品Ｗを所望の温度に設定するためのものである。制御装置１００は、より詳細に説明すると、商品収納庫５ａ，５ｂ，５ｃの冷却または加熱の運転モードを設定する運転モード選択スイッチ１０５、放熱器３１の入口温度を検出する放熱器温度センサ１１０、商品収納庫５ａ，５ｂ，５ｃの庫内温度を検出する庫内温センサ７２ａ、７２ｂ、７２ｃを入力とし、圧縮機２０の起動停止および回転数、ヒータＨの起動停止、電子膨張弁４０ａ，４０ｂ、４０ｃ、電磁弁５２ａ，５２ｂ、５２ｃの開閉、庫内ファン５３ａ，５３ｂ、５３ｃの回転数を指令するものである。
【００１７】
以上のような構成を有する冷却装置１０は、次のようにして自動販売機の商品収容庫５ａ，５ｂ，５ｃの内部雰囲気を冷却することができる。ここでは、すべての商品収容庫５の内部雰囲気を冷却するものとしてその動作を説明する。
商品収容庫５ａ，５ｂ，５ｃのすべての内部雰囲気を冷却する場合には、すべての電磁弁５２ａ，５２ｂ、５２ｃを開成状態とし、すべてのヒータＨはオフ状態になっている。
冷媒循環路Ｌにおける冷媒は、圧縮機２０で２回に分けて圧縮される。より詳細に説明すると、冷媒は、第１圧縮機２１で圧縮（約４．９ＭＰａに圧縮）され、その後、中間熱交換器２３に送出される。中間熱交換器２３に送出された冷媒は、該中間熱交換器２３で放熱して冷却される。中間熱交換器２３で冷却された冷媒は、再び第２圧縮機２２に送出され、該第２圧縮機２２で圧縮（約９．８ＭＰａに圧縮）され、高温高圧の状態になる。この場合において、第２圧縮機２２から冷媒とともに送出された冷凍機油は、オイルセパレータ２４によって第１圧縮機２１の入口側に戻ることになる。
【００１８】
高温高圧の状態の冷媒は、放熱器３１に送出され、該放熱器３１で放熱して冷却される。放熱器３１で冷却された冷媒は、内部熱交換器６０を通じて電子膨張弁４０に送出され、該電子膨張弁４０で減圧されて断熱膨張し、低温低圧の状態になる。
低温低圧の状態の冷媒は、開成状態にある電磁弁５２を通じて蒸発器５１に送出される。蒸発器５１に送出された冷媒は、該蒸発器５１の周辺領域から熱を与えられて蒸発する。換言すると、蒸発器５１の周辺領域は、冷媒が蒸発することにより熱を奪われて冷却されて冷気が生成する。生成した冷気は、庫内ファン５３の作用により図２中の矢印で示したように吹き出し、これにより、商品収容庫５の内部雰囲気は冷却されることになる。このように商品収容庫５の内部雰囲気が冷却されると、該商品収容庫５の内部に配設された商品収納ラック６に収納された商品Ｗは、所望の温度状態（例えば、約５℃）に冷却されることになる。
【００１９】
蒸発ユニット５０で蒸発した冷媒は、内部熱交換器６０を通じて圧縮機２０（第１圧縮機２１）に送出され、該圧縮機２０で圧縮されて上記サイクルを繰り返すことになる。
制御装置１００は、運転モード選択ＳＷにより設定された運転モード（この場合は、すべて冷却運転）を読込み、庫内ファン５３の回転数、インバータ圧縮機２０の回転数、電子膨張弁４０の開度を所定の初期値にセットし、冷却運転の指令を出す。各商品収納庫５内において、庫内温センサ７２の温度が所定の庫内冷却下限温度（たとえば、５℃）になれば、商品収納庫５内の商品Ｗが十分冷却されるので、電磁弁５２を閉成状態にして蒸発器５１の運転を休止させる。また、外部からの熱侵入などにより庫内温度が上昇して庫内温センサ７２の温度が庫内温度上限値（（たとえば、１０℃）になれば、電磁弁５２を開成状態にして蒸発器５１の運転を再開させる。かかる、オンオフ運転を繰り返しながら、商品収納庫５内の商品Ｗを一定の冷却温度に保持する。
【００２０】
図５は、例えば外気温が高い場合など放熱器温度センサ１１０の温度が冷媒の臨界温度を越える場合について、制御装置１００による制御の処理内容を示すフローチャートである。以下、このフローチャートを参照しながら制御手段１００の処理内容を詳述する。
まず、制御装置１００は、冷却ユニット１０の圧縮機２０が駆動しているか否かを常時監視しており（ステップＳ１）、圧縮機２０が駆動している場合、つまり自動販売機が稼働状態にある場合、現在の放熱器３１の温度を検出する処理を行う（ステップＳ２）。
現在の放熱器３１の温度を検出した制御装置１００は、この検出結果に基づき、放熱器３１が臨界圧力に達する判定を放熱器温度センサ１１０の温度が臨界圧力上限値（例えば、２５℃）に達しているかにて判定処理を行い（ステップＳ３）、達していれば放熱器３１の温度を低下させる処理を行う（ステップＳ３分岐Ｙ）。
【００２１】
その放熱器３１の温度を低下させる処理では、最初に現在運転休止中の蒸発器５１の有無を判定処理する（ステップＳ４）。運転休止中の蒸発器５１があれば（ステップＳ４分岐Ｙ）、その蒸発器５１に冷媒を流すように電磁弁５２を開成状態にする（ステップＳ５）。運転休止中の蒸発器５１がなければ（ステップＳ４分岐Ｎ）、冷却中の庫内ファン５３の風量を減少させる（ステップＳ６）。次に、低圧側の冷媒容積を拡大させるために、庫内温センサ７２に応じて電子膨張弁４０の開度を開く処理をする（ステップＳ７）。次に、高圧側の冷媒容積を減少させるために、圧縮機２０の回転数を低下させる処理をし（ステップＳ８）、処理の最初に戻る。この結果、低圧側の冷媒配管が増加をし、高圧側の冷媒容積が減少するので、放熱器３１の温度が低下し、高圧の圧力上昇を抑制することになる。制御装置１００は、かかる制御操作を実行して、放熱器温度センサ１１０の温度が臨界圧力上限値以下となるまで、徐々に電子膨張弁４０の開度を開き（ステップＳ７）、徐々に圧縮機２０の回転数を低減する（ステップＳ８）。
【００２２】
放熱器温度センサ１１０の温度が臨界圧力上限値以下となる（ステップＳ３分岐Ｎ）と、次に放熱器温度センサ１１０の温度が臨界圧力下限値以下（例えば、２０℃）を判定する処理を行う（ステップＳ９）。放熱器温度センサ１１０の温度が臨界圧力下限値より高ければ（ステップＳ９分岐Ｎ）、制御装置１００は、冷却ユニット１０をそのままの状態に運転を維持させ、処理の最初に戻る。放熱器温度センサ１１０の温度が臨界圧力下限値より低くなれば（ステップＳ９分岐Ｙ）、庫内ファン５３の風量、電子膨張弁４０の開度、および圧縮機２０の回転数を初期値に戻し、処理の最初に戻る。
なお、ステップＳ７の電子膨張弁４０の開度制御、およびステップＳ８の圧縮機２０の回転数制御は、どちらか一方のみの処理でも良い。自動販売機の冷却装置１０が使われる環境条件、コストを考慮して適宜選択すれば良い。
【００２３】
従って、上述した処理を繰り返し行うことにより、高圧側の放熱器３１の圧力が臨界圧力を超える場合に、休止中の蒸発器５１に冷媒を流すことにより低圧側の配管容積を拡大させるので、高圧側の冷媒容積が減少し、圧力上昇を抑制できる結果、圧縮機２０の停止、損傷を回避でき、また、運転中の蒸発器５１における蒸発温度の低下を押えることができるので、冷却能力を高状態で維持できる。
【産業上の利用可能性】
【００２４】
以上のように、本発明は、例えば断熱筐体の内部雰囲気を冷却するための冷却装置および自動販売機として有用である。
【図面の簡単な説明】
【００２５】
【図１】本発明の実施の形態に係る自動販売機を模式的に示した正面断面図である。
【図２】本発明の実施の形態に係る自動販売機を模式的に示した断面側面図である。
【図３】本発明の実施の形態に係る冷却装置を概念的に示した冷媒回路図である。
【図４】本発明の実施の形態１に係る自動販売機の制御ブロック図である。
【図５】本発明の実施の形態１に係る自動販売機の制御における放熱温度処理の要部フローチャートである。
【符号の説明】
【００２６】
１０    冷却装置
２０    圧縮機
２１    第１圧縮機
２２    第２圧縮機
２３    中間熱交換器
３０    放熱ユニット
３１    放熱器
３３    補助放熱器
３４    電磁弁
３５    電磁弁
４０    電子膨張弁
４０    蒸発ユニット
５１    蒸発器
５２    電磁弁
５３    庫内ファン
６０    内部熱交換器
１００  制御装置
１１０  放熱器温度センサ
【図１】
2006163785.tif 000003
【図２】
2006163785.tif 000004
【図３】
2006163785.tif 000005
【図４】
2006163785.tif 000006
【図５】
2006163785.tif 000007